(57)【要約】【課題】大電流が流れることを抑制する有機ＥＬパネル用駆動装置及び表示装置を提供する。【解決手段】有機ＥＬパネル用駆動装置５０は、ドライブラインＤ１〜Ｄｎのうち点灯させる画素Ｅ１１〜Ｅｍｎに対応するドライブラインに定電流源Ａ１〜Ａｎを接続しつつ複数の走査ラインＳ１〜Ｓｍを順にグランドＧＮＤに接続する走査を行うことで画素Ｅ１１〜Ｅｍｎを所定の組み合わせで点灯させる点灯処理と、ドライブラインＤ１〜ＤｎをグランドＧＮＤに接続しつつ複数の走査ラインＳ１〜Ｓｍを異なるタイミングで陰極電圧源Ｖｃに接続するダミー走査を行うことで画素Ｅ１１〜Ｅｍｎに逆バイアス電圧を印加するダミー走査処理と、を実行する。【選択図】図１
2018141851.tif 000002
【特許請求の範囲】
【請求項１】
ドットマトリクス型で、かつパッシブ駆動方式の有機ＥＬパネルを駆動する有機ＥＬパネル用駆動装置であって、
前記有機ＥＬパネルは、
互いに交差する複数の走査ライン及び複数のドライブラインと、
前記各走査ライン及び前記各ドライブラインの交差位置に接続される複数の有機ＥＬ素子と、を備え、
前記有機ＥＬパネル用駆動装置は、
前記複数のドライブラインのうち点灯させる前記有機ＥＬ素子に対応する前記ドライブラインに定電流源を接続しつつ前記複数の走査ラインを順にグランドに接続する走査を行うことで前記有機ＥＬ素子を点灯させる点灯処理と、
前記複数のドライブラインを前記グランドに接続しつつ前記複数の走査ラインのうち第１の走査ライン及び第２の走査ラインを異なるタイミングで陰極電圧源に接続するダミー走査を行うことで前記有機ＥＬ素子に逆バイアス電圧を印加するダミー走査処理と、を実行する、
ことを特徴とする有機ＥＬパネル用駆動装置。
【請求項２】
前記複数の走査ラインは、前記第１の走査ラインを含む第１グループ及び前記第２の走査ラインを含む第２グループにグループ分けされ、
前記ダミー走査処理は、
前記第１グループに属する前記走査ラインを同時に前記陰極電圧源に接続する第１のダミー走査処理と、
前記第２グループに属する前記走査ラインを同時に前記陰極電圧源に接続する第２のダミー走査処理と、を含む、
ことを特徴とする請求項１に記載の有機ＥＬパネル用駆動装置。
【請求項３】
前記有機ＥＬパネル用駆動装置は、
前記点灯処理において前記複数の走査ラインの全ての走査が完了した後に前記第１のダミー走査処理及び前記第２のダミー走査処理を順に実行する、
ことを特徴とする請求項２に記載の有機ＥＬパネル用駆動装置。
【請求項４】
前記複数の走査ラインは、前記第１グループに属する前記走査ラインと前記第２グループに属する前記走査ラインとが交互になるように配列される、
ことを特徴とする請求項２又は３に記載の有機ＥＬパネル用駆動装置。
【請求項５】
請求項１から４の何れか１項に記載の有機ＥＬパネル用駆動装置と、
前記有機ＥＬパネルと、を備える、
ことを特徴とする表示装置。
【発明の詳細な説明】
【技術分野】
【０００１】
本発明は、有機ＥＬパネル用駆動装置及び表示装置に関する。
【背景技術】
【０００２】
従来から、ドットマトリクス型で、かつパッシブ駆動方式にて駆動される有機ＥＬ（Electroluminescence）パネルが知られている。この種の有機ＥＬパネル１００は、例えば、図９及び図１０に示すように、複数のドライブラインＤ１〜Ｄｎと、ドライブラインＤ１〜Ｄｎに直交する複数の走査ラインＳ１〜Ｓｍと、ドライブラインＤ１〜Ｄｎ及び走査ラインＳ１〜Ｓｍの交差箇所に接続される複数の有機ＥＬ素子である画素Ｅ１１〜Ｅｍｎと、を備える。有機ＥＬパネル１００は駆動装置１１０により駆動される。なお、ｍ及びｎは任意の自然数である。
【０００３】
駆動装置１１０は、走査ラインＳ１〜Ｓｍを順に走査する。例えば、図９に示すように、走査ラインＳ２を走査する場合、駆動装置１１０は、走査ラインＳ２をグランドに接続した状態でドライブラインＤ１〜Ｄｎを所定の組み合わせで定電流源ＣＣＳ（Constant Current Source）に接続する。これにより、定電流源ＣＣＳから所定の組み合わせの画素Ｅ２１〜Ｅ２ｎに電流が供給されるため、走査ラインＳ２に沿う画素Ｅ２１〜Ｅ２ｎが所定の組み合わせで点灯する。
【０００４】
例えば、特許文献１に開示されるように、画素Ｅ１１〜Ｅｍｎには、その発光寿命を延ばすために逆バイアス電圧が印加される。例えば、図１０に示すように、駆動装置１１０は、走査ラインＳ１〜Ｓｍの走査が終了した後に、複数のドライブラインＤ１〜Ｄｎの全てをグランドに接続し、複数の走査ラインＳ１〜Ｓｍの全てを陰極電圧源Ｖｃに接続する。これにより、全ての画素Ｅ１１〜Ｅｍｎに逆バイアス電圧が印加される。
【先行技術文献】
【特許文献】
【０００５】
【特許文献１】特開２００６−２５１４５７号公報
【発明の概要】
【発明が解決しようとする課題】
【０００６】
上述した駆動装置１１０においては、図１０の矢印で示すように、逆バイアス電圧が印加される際、画素Ｅ１１〜Ｅｍｎにチャージされた電荷が全て同一のグランドに集中的に流れ込む。よって、駆動装置１１０には、一時的に大電流が流れるため好ましくなかった。
【０００７】
本発明は、この問題に鑑みなされたものであり、大電流が流れることを抑制する有機ＥＬパネル用駆動装置及び表示装置を提供することを目的とする。
【課題を解決するための手段】
【０００８】
上記目的を達成するため、本発明の第１の観点に係る有機ＥＬパネル用駆動装置は、ドットマトリクス型で、かつパッシブ駆動方式の有機ＥＬパネルを駆動する有機ＥＬパネル用駆動装置であって、前記有機ＥＬパネルは、互いに交差する複数の走査ライン及び複数のドライブラインと、前記各走査ライン及び前記各ドライブラインの交差位置に接続される複数の有機ＥＬ素子と、を備え、前記有機ＥＬパネル用駆動装置は、前記複数のドライブラインのうち点灯させる前記有機ＥＬ素子に対応する前記ドライブラインに定電流源を接続しつつ前記複数の走査ラインを順にグランドに接続する走査を行うことで前記有機ＥＬ素子を点灯させる点灯処理と、前記複数のドライブラインを前記グランドに接続しつつ前記複数の走査ラインのうち第１の走査ライン及び第２の走査ラインを異なるタイミングで陰極電圧源に接続するダミー走査を行うことで前記有機ＥＬ素子に逆バイアス電圧を印加するダミー走査処理と、を実行する。
【０００９】
上記目的を達成するため、本発明の第２の観点に係る表示装置は、上記有機ＥＬパネル用駆動装置と、前記有機ＥＬパネルと、を備える。
【発明の効果】
【００１０】
本発明によれば、有機ＥＬパネル用駆動装置及び表示装置において大電流が流れることを抑制することができる。
【図面の簡単な説明】
【００１１】
【図１】本発明の一実施形態に係る（ａ）はプリチャージ期間における表示装置を示した回路図であり、（ｂ）はプリチャージ期間におけるドライブスイッチユニットの拡大図である。
【図２】本発明の一実施形態に係る（ａ）は走査期間における表示装置を示した回路図であり、（ｂ）は走査期間におけるドライブスイッチユニットの拡大図である。
【図３】本発明の一実施形態に係る（ａ）は第１のダミー走査期間における表示装置を示した回路図であり、（ｂ）は第１及び第２のダミー走査期間におけるドライブスイッチユニットの拡大図である。
【図４】本発明の一実施形態に係る第２のダミー走査期間における表示装置を示した回路図である。
【図５】本発明の一実施形態に係る有機ＥＬパネルの画素を示した概略図である。
【図６】本発明の一実施形態に係るドライブライン、走査ライン及び端子に印加される電圧を示すタイミングチャートである。
【図７】本発明の一実施形態に係る表示コントローラによって実行される処理手順を示すフローチャートである。
【図８】本発明の変形例に係るドライブライン、走査ライン及び端子に印加される電圧を示すタイミングチャートである。
【図９】背景技術に係る走査期間における表示装置を示した回路図である。
【図１０】背景技術に係る逆バイアス電圧を画素に印加する際の表示装置を示した回路図である。
【発明を実施するための形態】
【００１２】
本発明に係る有機ＥＬパネル用駆動装置及び表示装置の一実施形態について、図面を参照して説明する。
【００１３】
（表示装置１の構成）
図１（ａ）に示すように、表示装置１は、有機ＥＬパネル１０と、有機ＥＬパネル用駆動装置５０と、を備える。
有機ＥＬパネル１０は、ドットマトリクス型で、かつパッシブ駆動方式により駆動される。有機ＥＬパネル１０は、ｍ行ｎ列のマトリクス状に配置される有機ＥＬ素子からなる画素Ｅ１１〜Ｅｍｎと、複数の走査ラインＳ１〜Ｓｍと、複数のドライブラインＤ１〜Ｄｎと、を備える。ｍ及びｎは任意の自然数である。
【００１４】
走査ラインＳ１〜Ｓｍは、アルミニウム等の金属蒸着膜からなる。また、走査ラインＳ１〜Ｓｍは、本例では、横方向に延び、かつ縦方向に配列される。ドライブラインＤ１〜Ｄｎは、ＩＴＯ（Indium Tin Oxide）等の導電性透明膜からなる。また、ドライブラインＤ１〜Ｄｎは、本例では、走査ラインＳ１〜Ｓｍに直交し、かつ横方向に配列される。画素Ｅ１１〜Ｅｍｎは、走査ラインＳ１〜ＳｍとドライブラインＤ１〜Ｄｎとの交差箇所に接続されている。各画素Ｅ１１〜Ｅｍｎは、並列に接続されたダイオード成分及び寄生容量（コンデンサ）成分からなる等価回路で表される。
【００１５】
有機ＥＬパネル用駆動装置５０は、コントロールドライバーＩＣ（Integrated Circuit）により構成される。具体的には、有機ＥＬパネル用駆動装置５０は、陰極駆動回路２０と、陽極駆動回路３０と、表示コントローラ４０と、を備える。
【００１６】
図１（ａ）に示すように、陰極駆動回路２０は、端子Ｐ１，Ｐ３と、複数（ｍ個）の走査スイッチ−ＳＷ１〜−ＳＷｍと、を備える。端子Ｐ１は陰極駆動回路２０の外部に位置するグランドＧＮＤに接続される。また、端子Ｐ３は陰極駆動回路２０の外部に位置する陰極電圧源Ｖｃに接続される。複数の走査スイッチ−ＳＷ１〜−ＳＷｍはそれぞれ走査ラインＳ１〜Ｓｍの端部に接続される。走査スイッチ−ＳＷ１〜−ＳＷｍは、走査ラインＳ１〜Ｓｍを陰極電圧源Ｖｃ及びグランドＧＮＤの何れかに選択的に接続する。走査スイッチ−ＳＷ１〜−ＳＷｍの切り替えを通じて、走査対象となる走査ラインＳ１〜ＳｍはグランドＧＮＤに接続されるとともに、走査対象以外の走査ラインＳ１〜Ｓｍは陰極電圧源Ｖｃに接続される。
【００１７】
図１（ａ）に示すように、陽極駆動回路３０は、プリチャージ電圧源Ｖ１と、複数（ｎ個）の定電流源Ａ１〜Ａｎと、定電流源Ａ１〜Ａｎをそれぞれ駆動するための陽極駆動電圧源Ｖ２と、複数（ｎ個）のドライブスイッチユニット＋ＳＷ１〜＋ＳＷｎと、端子Ｐ２と、を備える。
【００１８】
陽極駆動電圧源Ｖ２は、定電流源Ａ１〜Ａｎに電圧を印加する。各定電流源Ａ１〜Ａｎは、表示コントローラ４０による制御のもと、陽極駆動電圧源Ｖ２からの電圧に基づき定電流を生成する。
【００１９】
端子Ｐ２は陽極駆動回路３０の外部に位置するグランドＧＮＤに接続される。なお、グランドＧＮＤは、陰極駆動回路２０及び陽極駆動回路３０において別に構成されてもよいし共通であってもよい。
【００２０】
複数のドライブスイッチユニット＋ＳＷ１〜＋ＳＷｎは、それぞれドライブラインＤ１〜Ｄｎの端部に接続される。各ドライブスイッチユニット＋ＳＷ１〜＋ＳＷｎは、表示コントローラ４０による制御のもと、対応するドライブラインＤ１〜Ｄｎを、プリチャージ電圧源Ｖ１、グランドＧＮＤ及び対応する定電流源Ａ１〜Ａｎの何れかに選択的に接続させる。
【００２１】
図１（ｂ）に示すように、各ドライブスイッチユニット＋ＳＷ１〜＋ＳＷｎは、第１のスイッチＳａ１〜Ｓａｎと、第２のスイッチＳｂ１〜Ｓｂｎと、第３のスイッチＳｃ１〜Ｓｃｎと、を備える。第２のスイッチＳｂ１〜Ｓｂｎと第３のスイッチＳｃ１〜Ｓｃｎは直列に接続されている。第２のスイッチＳｂ１〜Ｓｂｎはプリチャージ電圧源Ｖ１側に位置し、第３のスイッチＳｃ１〜ＳｃｎはグランドＧＮＤ側に位置する。第２のスイッチＳｂ１〜Ｓｂｎと第３のスイッチＳｃ１〜Ｓｃｎの間には第２接点Ｑ２が接続されている。
【００２２】
第２のスイッチＳｂ１〜Ｓｂｎ及び第３のスイッチＳｃ１〜Ｓｃｎは、ＦＥＴ（Field Effect Transistor）等のスイッチング素子からなる。第２のスイッチＳｂ１〜Ｓｂｎは、表示コントローラ４０による制御のもと、プリチャージ電圧源Ｖ１及び第２接点Ｑ２間を導通するオン状態と、プリチャージ電圧源Ｖ１及び第２接点Ｑ２間を電気的に遮断するオフ状態との間で切り替わる。
【００２３】
第３のスイッチＳｃ１〜Ｓｃｎは、表示コントローラ４０による制御のもと、第２接点Ｑ２及びグランドＧＮＤ間を導通するオン状態と、第２接点Ｑ２及びグランドＧＮＤ間を電気的に遮断するオフ状態との間で切り替わる。
【００２４】
複数の第１のスイッチＳａ１〜Ｓａｎは、それぞれドライブラインＤ１〜Ｄｎの端部に接続される。第１のスイッチＳａ１〜Ｓａｎは、表示コントローラ４０による制御のもと、第２接点Ｑ２と各定電流源Ａ１〜Ａｎに接続される第１接点Ｑ１の何れかに選択的に接続される。
【００２５】
次に、後述するプリチャージ時、走査時、第１及び第２のダミー走査時における各ドライブスイッチユニット＋ＳＷ１〜＋ＳＷｎの状態について説明する。
図１（ａ）に示すように、後述するプリチャージ時においては、各ドライブスイッチユニット＋ＳＷ１〜＋ＳＷｎはドライブラインＤ１〜Ｄｎをプリチャージ電圧源Ｖ１に接続する。このとき、図１（ｂ）に示すように、第１のスイッチＳａ１〜Ｓａｎが第２接点Ｑ２に接続され、第２のスイッチＳｂ１〜Ｓｂｎがオン状態に設定され、第３のスイッチＳｃ１〜Ｓｃｎがオフ状態に設定される。
【００２６】
図２（ａ）に示すように、後述する走査時においては、各ドライブスイッチユニット＋ＳＷ１〜＋ＳＷｎはドライブラインＤ１〜Ｄｎを定電流源Ａ１〜Ａｎに接続する。このとき、図２（ｂ）に示すように、第１のスイッチＳａ１〜Ｓａｎが第１接点Ｑ１に接続され、第２のスイッチＳｂ１〜Ｓｂｎ及び第３のスイッチＳｃ１〜Ｓｃｎがオフ状態に設定される。
【００２７】
図３（ａ）及び図４に示すように、後述する第１及び第２のダミー走査時においては、各ドライブスイッチユニット＋ＳＷ１〜＋ＳＷｎはドライブラインＤ１〜ＤｎをグランドＧＮＤに接続する。このとき、図３（ｂ）に示すように、第１のスイッチＳａ１〜Ｓａｎが第２接点Ｑ２に接続され、第２のスイッチＳｂ１〜Ｓｂｎがオフ状態に設定され、第３のスイッチＳｃ１〜Ｓｃｎがオン状態に設定される。
【００２８】
表示コントローラ４０は、走査スイッチ−ＳＷ１〜−ＳＷｍ、ドライブスイッチユニット＋ＳＷ１〜＋ＳＷｎ及び定電流源Ａ１〜Ａｎを制御することで、画素Ｅ１１〜Ｅｍｎの点灯制御を行う。表示コントローラ４０は、外部から画像データを受けて、その画像データに応じた画像を表示するため画素Ｅ１１〜Ｅｍｎを所定の組み合わせ及び輝度にて点灯させる。この画像データは、各画素Ｅ１１〜Ｅｍｎの点灯の有無及び点灯させる画素Ｅ１１〜Ｅｍｎの輝度に係る情報を含む。
【００２９】
（表示コントローラ４０の制御手順）
表示コントローラ４０の制御手順について、図７のフローチャートに沿って説明する。このフローチャートは、有機ＥＬパネル１０に画像を表示する期間において繰り返し実行される。
【００３０】
まず、表示コントローラ４０は全ての画素Ｅ１１〜Ｅｍｎにおいてプリチャージを行う（Ｓ１０１）。具体的には、プリチャージの際、表示コントローラ４０は、図１（ａ）に示すように、ドライブスイッチユニット＋ＳＷ１〜＋ＳＷｎを介してドライブラインＤ１〜Ｄｎをプリチャージ電圧源Ｖ１に接続し、走査スイッチ−ＳＷ１〜−ＳＷｍを介して走査ラインＳ１〜Ｓｍを陰極電圧源Ｖｃに接続する。これにより、各画素Ｅ１１〜Ｅｍｎにプリチャージ電圧が印加される。
【００３１】
次に、表示コントローラ４０は、走査ラインＳ１〜Ｓｍの何れかの走査ラインＳｘを走査する（Ｓ１０２）。当該フローチャートの開始後、最初のステップＳ１０２においては、例えばｘ＝１、すなわち走査ラインＳｘは走査ラインＳ１である。図２（ａ）の例では、画素Ｅ２１〜Ｅ２ｎを点灯させるために走査ラインＳ２が走査されている。このとき、表示コントローラ４０は、走査スイッチ−ＳＷ２を介して走査ラインＳ２をグランドＧＮＤに接続し、かつドライブスイッチユニット＋ＳＷ１〜＋ＳＷ３を介してドライブラインＤ１〜Ｄ３を定電流源Ａ１〜Ａ３に接続する。これにより、定電流源Ａ１〜Ａ３から画素Ｅ２１〜Ｅ２３に電流が流れて、画素Ｅ２１〜Ｅ２３が点灯する。例えば、走査ラインＳ２の走査中に画素Ｅ２１〜Ｅ２ｎのうち画素Ｅ２ｎを点灯させない場合、表示コントローラ４０は、ドライブスイッチユニット＋ＳＷｎを介してドライブラインＤｎをグランドＧＮＤに接続する。このようにして、走査ラインＳｘに沿う画素Ｅ１１〜Ｅｍｎを所望の組み合わせで点灯させる。
【００３２】
表示コントローラ４０は、走査期間に占める画素Ｅ２１〜Ｅ２ｎの点灯期間を調整する、すなわちＰＷＭ（Pulse Width Modulation）制御により画素Ｅ２１〜Ｅ２ｎの輝度を調整する。表示コントローラ４０は、走査期間における点灯期間以外の消灯期間においては、図４に示すように、ドライブスイッチユニット＋ＳＷ１〜＋ＳＷｎをグランドＧＮＤに接続する。これにより、画素Ｅ２１〜Ｅ２ｎにチャージされた電荷がグランドＧＮＤに流れる。
【００３３】
次に、表示コントローラ４０は、全ての走査ラインＳ１〜Ｓｍの走査が完了したか否かを判別し（ステップＳ１０３）、全ての走査ラインＳ１〜Ｓｍの走査が完了していない旨判別したとき（ステップＳ１０３：ＮＯ）、ｘに１を加算するカウントアップを行う（ステップＳ１０４）。その後、再度のプリチャージを行い（ステップＳ１０１）、次の走査ラインＳｘ＋１について走査する（ステップＳ１０２）。すなわち、全ての走査ラインＳ１〜Ｓｍの走査が完了するまで、ステップＳ１０１〜Ｓ１０４の処理が繰り返されることで走査ラインＳ１〜Ｓｍが順に走査される。ステップＳ１０１〜Ｓ１０４は点灯処理に相当する。
【００３４】
表示コントローラ４０は、全ての走査ラインＳ１〜Ｓｍの走査が完了した旨判別したとき（ステップＳ１０３：ＹＥＳ）、走査ラインＳ１〜Ｓｍのうち第１グループＧ１について第１のダミー走査を行う（ステップＳ１０５）。第１グループＧ１は、図５に示すように、走査ラインＳ１〜Ｓｍのうちその部材番号が奇数である走査ラインＳ１，Ｓ３…からなる。
【００３５】
第１のダミー走査の際、図３（ａ）に示すように、表示コントローラ４０は、走査スイッチ−ＳＷ１〜−ＳＷｍのうち部材番号が奇数の走査スイッチ−ＳＷ１，−ＳＷ３…を介して第１グループＧ１を構成する走査ラインＳ１，Ｓ３…を陰極電圧源Ｖｃに接続し、かつ全てのドライブスイッチユニット＋ＳＷ１〜＋ＳＷｎを介して全てのドライブラインＤ１〜ＤｎをグランドＧＮＤに接続する。これにより、奇数の走査ラインＳ１，Ｓ３…に対応する画素Ｅ１１〜Ｅ１ｎ，Ｅ３１〜Ｅ３ｎ…に逆バイアス電圧が印加される。このとき、画素Ｅ１１〜Ｅ１ｎ，Ｅ３１〜Ｅ３ｎにチャージされた電荷が端子Ｐ２を介してグランドＧＮＤに流れる。なお、偶数の走査ラインＳ２，Ｓ４…に対応する画素２１〜Ｅ２ｎ，Ｅ４１〜Ｅ４ｎ…は同電位（グランドＧＮＤ）となり、チャージされた電荷が端子Ｐ２を介してグランドＧＮＤに流れることはない。
【００３６】
表示コントローラ４０は、第１のダミー走査の後、走査ラインＳ１〜Ｓｍのうち第２グループＧ２について第２のダミー走査を行う（ステップＳ１０６）。第２グループＧ２は、図５に示すように、走査ラインＳ１〜Ｓｍのうちその部材番号が偶数である走査ラインＳ２，Ｓ４…からなる。
【００３７】
第２のダミー走査の際、図４に示すように、表示コントローラ４０は、走査スイッチ−ＳＷ１〜−ＳＷｍのうち部材番号が偶数の走査スイッチ−ＳＷ２，−ＳＷ４…を介して第２グループＧ２を構成する偶数の走査ラインＳ２，Ｓ４…を陰極電圧源Ｖｃに接続し、かつ全てのドライブスイッチユニット＋ＳＷ１〜＋ＳＷｎを介して全てのドライブラインＤ１〜ＤｎをグランドＧＮＤに接続する。これにより、偶数の走査ラインＳ２，Ｓ４…に対応する画素Ｅ２１〜Ｅ２ｎ，Ｅ４１〜Ｅ４ｎ…に逆バイアス電圧が印加される。このとき、画素Ｅ２１〜Ｅ２ｎ，Ｅ４１〜Ｅ４ｎ…にチャージされた電荷が端子Ｐ２を介してグランドＧＮＤに流れる。なお、奇数の走査ラインＳ１，Ｓ３…に対応する画素１１〜Ｅ１ｎ，Ｅ３１〜Ｅ３ｎ…は同電位（グランドＧＮＤ）となり、チャージされた電荷が端子Ｐ２を介してグランドＧＮＤに流れることはない。
以上で、当該フローチャートに係る処理が終了となる。
【００３８】
次に、図５に示すように画素Ｅ１１〜Ｅ４３を点灯させた場合における、図６のタイミングチャートを参照しつつドライブラインＤ１〜Ｄ３、走査ラインＳ１〜Ｓ４及びグランドＧＮＤに印加される電圧について説明する。
【００３９】
図５の例では、表示コントローラ４０は、画素Ｅ１２，Ｅ２１，Ｅ２３，Ｅ３２，Ｅ４１〜Ｅ４３を点灯（オン）し、画素Ｅ１１，Ｅ１３，Ｅ２２，Ｅ３１，Ｅ３３を非点灯（オフ）とする。
【００４０】
図６のタイミングチャートに示すように、表示コントローラ４０は、走査ラインＳ１〜Ｓ４を陰極電圧源Ｖｃに接続した状態において、走査ラインＳ１〜Ｓ４を順に走査期間Ｔｓ１〜Ｔｓ４にわたってグランドＧＮＤに接続する。これにより、走査ラインＳ１〜Ｓ４が順に走査される。なお、このタイミングチャートにおいては、プリチャージは省略されている。
【００４１】
走査ラインＳ１の走査期間Ｔｓ１においては、表示コントローラ４０は、走査ラインＳ１〜Ｓ４のうち走査ラインＳ１のみをグランドＧＮＤに接続し、ドライブラインＤ１，Ｄ３をグランドＧＮＤに接続し、ドライブラインＤ２を定電流源Ａ２に接続する。これにより、走査ラインＳ１の走査中に画素Ｅ１２が点灯し、画素Ｅ１１，Ｅ１３が非点灯となる。
【００４２】
走査ラインＳ２の走査期間Ｔｓ２においては、表示コントローラ４０は、走査ラインＳ１〜Ｓ４のうち走査ラインＳ２のみをグランドＧＮＤに接続し、ドライブラインＤ１，Ｄ３を定電流源Ａ１，Ａ３に接続し、ドライブラインＤ２をグランドＧＮＤに接続する。これにより、走査ラインＳ２の走査中に画素Ｅ２１，Ｅ２３が点灯し、画素Ｅ２２が非点灯となる。
【００４３】
走査ラインＳ３の走査期間Ｔｓ３においては、表示コントローラ４０は、走査ラインＳ１〜Ｓ４のうち走査ラインＳ３のみをグランドＧＮＤに接続し、ドライブラインＤ１，Ｄ３をグランドＧＮＤに接続し、ドライブラインＤ２を定電流源Ａ２に接続する。これにより、走査ラインＳ３の走査中に画素Ｅ３２が点灯し、画素Ｅ３１，Ｅ３３が非点灯となる。
【００４４】
走査ラインＳ４の走査期間Ｔｓ４においては、表示コントローラ４０は、走査ラインＳ１〜Ｓ４のうち走査ラインＳ４のみをグランドＧＮＤに接続し、ドライブラインＤ１〜Ｄ３を定電流源Ａ１〜Ａ３に接続する。これにより、走査ラインＳ４の走査中に画素Ｅ４１〜Ｅ４３が点灯する。
【００４５】
走査期間Ｔｓ４の終了後、表示コントローラ４０は、ダミー走査期間Ｔｄにおいて第１のダミー走査及び第２のダミー走査を順に行う。ダミー走査期間Ｔｄは、例えば、各走査期間Ｔｓ１〜Ｔｓ４と同一の期間に設定される。ダミー走査期間Ｔｄは、第１のダミー走査期間Ｔｄ１及び第２のダミー走査期間Ｔｄ２から構成される。本例では、第１のダミー走査期間Ｔｄ１及び第２のダミー走査期間Ｔｄ２はそれぞれ同一の期間に設定される。
【００４６】
表示コントローラ４０は、第１のダミー走査期間Ｔｄ１においては、ドライブラインＤ１〜Ｄ３及び第２グループＧ２を構成する走査ラインＳ２，Ｓ４をグランドＧＮＤに接続した状態で、第１グループＧ１を構成する走査ラインＳ１，Ｓ３を陰極電圧源Ｖｃに接続する。これにより、第１グループＧ１を構成する走査ラインＳ１，Ｓ３について第１のダミー走査が行われる。この際、図６の最下段に示すように、画素Ｅ１１〜Ｅ１ｎ，Ｅ３１〜Ｅ３ｎにチャージされた電荷が電流Ｉ１として端子Ｐ２を介してグランドＧＮＤに流れる。
【００４７】
表示コントローラ４０は、第２のダミー走査期間Ｔｄ２においては、ドライブラインＤ１〜Ｄ３及び第１グループＧ１を構成する走査ラインＳ１，Ｓ３をグランドＧＮＤに接続した状態で、第２グループＧ２を構成する走査ラインＳ２，Ｓ４を陰極電圧源Ｖｃに接続する。これにより、第２グループＧ２を構成する走査ラインＳ２，Ｓ４について第２のダミー走査が行われる。この際、図６の最下段に示すように、画素Ｅ２１〜Ｅ２ｎ，Ｅ４１〜Ｅ４ｎにチャージされた電荷が電流Ｉ２として端子Ｐ２を介してグランドＧＮＤに流れる。このように、グループＧ１，Ｇ２毎に異なるタイミングでダミー走査が行われることで、端子Ｐ２及びグランドＧＮＤに大電流が流れることが抑制される。
【００４８】
第１及び第２のダミー走査により、画素Ｅ１１〜Ｅｍｎにおける短絡を生じさせる個所（不良部位）を排除する自己修復が行われる。ここで、パッシブ駆動方式の有機ＥＬパネル１０の修復に必要となる自己修復エネルギーは、逆バイアス電圧のみならず、画素Ｅ１１〜Ｅｍｎの素子電荷（素子蓄積容量）、印加電圧、配線、インピーダンスにより決定される。有機ＥＬパネル１０の大型化に伴い画素のサイズ及び画素数が増えることで素子蓄積容量が増える。このため、有機ＥＬパネル１０の大型化が図られた場合には、グループＧ１，Ｇ２毎に異なるタイミングでダミー走査が行われた場合であっても、自己修復に必要な程度に自己修復エネルギーを得られる。
なお、本実施形態では、第１グループＧ１を構成する走査ラインＳ１，Ｓ３…の何れかが第１の走査ラインに相当し、第２グループＧ２を構成する走査ラインＳ２，Ｓ４…の何れかが第２の走査ラインに相当する。
【００４９】
（効果）
以上、説明した一実施形態によれば、特に、以下の効果を奏する。
【００５０】
（１）有機ＥＬパネル用駆動装置５０は、ドットマトリクス型で、かつパッシブ駆動方式の有機ＥＬパネル１０を駆動する。有機ＥＬパネル１０は、互いに交差する複数の走査ラインＳ１〜Ｓｍ及び複数のドライブラインＤ１〜Ｄｎと、各走査ラインＳ１〜Ｓｍ及び各ドライブラインＤ１〜Ｄｎの交差位置に接続される複数の有機ＥＬ素子である画素Ｅ１１〜Ｅｍｎと、を備える。有機ＥＬパネル用駆動装置５０は、ドライブラインＤ１〜Ｄｎのうち点灯させる画素Ｅ１１〜Ｅｍｎに対応するドライブラインに定電流源Ａ１〜Ａｎを接続しつつ複数の走査ラインＳ１〜Ｓｍを順にグランドＧＮＤに接続する走査を行うことで画素Ｅ１１〜Ｅｍｎを所定の組み合わせで点灯させる点灯処理と、ドライブラインＤ１〜ＤｎをグランドＧＮＤに接続しつつ走査ラインＳ１，Ｓ３…及び走査ラインＳ２，Ｓ４…を異なるタイミングで陰極電圧源Ｖｃに接続するダミー走査を行うことで画素Ｅ１１〜Ｅｍｎに逆バイアス電圧を印加するダミー走査処理と、を実行する。
この構成によれば、ダミー走査処理においては、走査ラインＳ１，Ｓ３…及び走査ラインＳ２，Ｓ４…が異なるタイミングで陰極電圧源Ｖｃに接続される。よって、ダミー走査の際、有機ＥＬパネル用駆動装置５０におけるグランドＧＮＤに接続される端子Ｐ２に大電流が流れることが抑制される。
この端子Ｐ２は、例えば、有機ＥＬパネル用駆動装置５０を構成するＩＣのグランド用のバンプである。このバンプは、導電性粒子を含むＡＣＦ（Anisotropic Conductive Film）又はＡＣＰ（Anisotropic Conductive Paste）を介してグランドＧＮＤに接続される。この導電性粒子は許容電流が小さいことから、上記のような大電流の抑制は特に有益である。
また、大電流が抑制されることで、大電流に耐えるように端子Ｐ２及びグランドＧＮＤに繋がる接続線等のサイズを大きくする必要がないことから、有機ＥＬパネル用駆動装置５０、ひいては表示装置１の小型化を図ることができる。さらに、大電流が抑制されることで、有機ＥＬパネル用駆動装置５０から発する電磁ノイズを低減することができる。これら表示装置１の小型化及び電磁ノイズの低減は、特に表示装置１が車載される場合に有益である。
また、ダミー走査の際、陰極駆動回路２０において陰極電圧源Ｖｃと接続される端子Ｐ３（入力側端子）に大電流が流れることが抑制される。従来は、ダミー走査の際に同時に全ての画素Ｅ１１〜Ｅｍｎへ逆バイアス電圧を印加するため陰極駆動回路２０側のピーク電流値も高かった。この端子Ｐ３は、例えば、有機ＥＬパネル用駆動装置５０を構成するＩＣの入力用のバンプである。このバンプは、導電性粒子を含むＡＣＦ又はＡＣＰを介して陰極電圧源Ｖｃと接続される。この導電性粒子は許容電流が小さいことから、上記のような大電流の抑制は特に有益である。
【００５１】
（２）ダミー走査処理は、複数の走査ラインＳ１〜Ｓｍのうち第１グループＧ１の走査ラインＳ１，Ｓ３…を同時に陰極電圧源Ｖｃに接続する第１のダミー走査処理と、複数の走査ラインＳ１〜Ｓｍのうち第１グループＧ１と異なる第２グループＧ２の走査ラインＳ２，Ｓ４…を同時に陰極電圧源Ｖｃに接続する第２のダミー走査処理と、を含む。
この構成によれば、グループＧ１，Ｇ２毎に異なるタイミングでダミー走査が行われる。このため、複数の走査ラインＳ１〜Ｓｍが１本ずつダミー走査される場合に比べて、迅速にダミー走査を完了させることができる。
【００５２】
（３）有機ＥＬパネル用駆動装置５０は、点灯処理において複数の走査ラインＳ１〜Ｓｍの全ての走査が完了した後に第１のダミー走査処理及び第２のダミー走査処理を順に実行する。これにより、ダミー走査を一期間に纏めて行うことができる。
【００５３】
（４）走査ラインＳ１〜Ｓｍは、第１グループＧ１に属する走査ラインＳ１，Ｓ３…と第２グループＧ２に属する走査ラインＳ２，Ｓ４…とが交互になるように配列される。
この構成によれば、ダミー走査時に隣り合う複数の走査ライン、例えば、走査ラインＳ１，Ｓ２に同時に電流が流れることが抑制される。これにより、ダミー走査時に流れる電流によって、局所的に磁束密度が高まることが抑制される。このため、ダミー走査時に生じる電磁ノイズにより他の電子機器に影響を与えることを抑制できる。
【００５４】
（５）有機ＥＬパネル用駆動装置５０は、点灯処理の前に、点灯処理において点灯させる画素Ｅ１１〜Ｅｍｎに係るドライブラインＤ１〜Ｄｎ及び走査ラインＳ１〜Ｓｍにプリチャージ電圧を印加するプリチャージ処理を行う。
この構成によれば、発光させる画素Ｅ１１〜Ｅｍｎに予めプリチャージ電圧を印加しておくことで、点灯処理においてチャージに要する時間を低減することができ、迅速に画素Ｅ１１〜Ｅｍｎを所望の輝度で点灯させることができる。
【００５５】
（変形例）
なお、上記実施形態は、これを適宜変更した以下の形態にて実施することができる。
【００５６】
上記実施形態においては、表示コントローラ４０は、全ての走査ラインＳ１〜Ｓｍの走査が完了した後に、第１のダミー走査及び第２のダミー走査を行っていたが、第１のダミー走査及び第２のダミー走査の実行タイミングはこれに限らない。例えば、図８に示すように、表示コントローラ４０は、走査ラインＳ１，Ｓ２の走査完了後に第１のダミー走査期間Ｔｄ１にわたって第１グループＧ１について第１のダミー走査を行う。その後、走査ラインＳ３，Ｓ４の完了後に第２のダミー走査期間Ｔｄ２にわたって第２グループＧ２について第２のダミー走査を行う。この構成においても、グループＧ１，Ｇ２毎に異なるタイミングでダミー走査が行われることで、端子Ｐ２に流れる電流を低下させることができる。また、この構成では、第１のダミー走査に伴い生じる電流Ｉ１と第２のダミー走査に伴い生じる電流Ｉ２とを時間的に離すことができる。
【００５７】
上記実施形態においては、第１のダミー走査Ｔｄ１及び第２のダミー走査Ｔｄ２はそれぞれ同一の長さに設定されていたが、それぞれ異なる長さに設定されてもよい。
【００５８】
上記実施形態においては、第１グループＧ１は奇数の走査ラインＳ１，Ｓ３…であり、第２グループＧ２は偶数の走査ラインＳ２，Ｓ４…であったが、グループ分けの手法はこれに限定されない。第１グループＧ１は複数の走査ラインＳ１〜Ｓｍのうち走査ラインＳ１に位置的に近い複数の走査ラインＳ１，Ｓ２…からなり、第２グループＧ２は複数の走査ラインＳ１〜Ｓｍのうち走査ラインＳｍに位置的に近い複数の走査ラインＳｍ，Ｓｍ−１…からなってもよい。
【００５９】
また、上記実施形態においては、第１グループＧ１に属する走査ラインＳ１，Ｓ３…と第２グループＧ２に属する走査ラインＳ２，Ｓ４…とが１本ずつ交互に配列されていた。しかし、第１グループＧ１に属する走査ラインと第２グループＧ２に属する走査ラインとが２本以上ずつ交互に配列されてもよい。例えば、２本ずつ交互に配列される場合、第１グループＧ１は走査ラインＳ１，Ｓ２，Ｓ５，Ｓ６…からなり、第２グループＧ２は走査ラインＳ３，Ｓ４，Ｓ７，Ｓ８…からなる。
【００６０】
さらに、複数の走査ラインＳ１〜Ｓｍは、例えば、３つ以上のグループに分けてもよい。さらに、表示コントローラ４０は、複数の走査ラインＳ１〜Ｓｍをグループ分けすることなく、複数の走査ラインＳ１〜Ｓｍについて一本ずつダミー走査を行ってもよい。
【００６１】
上記実施形態においては、ステップＳ１０１にてプリチャージが実行されていたが、このプリチャージは省略されてもよい。
【符号の説明】
【００６２】
１  表示装置
１０  有機ＥＬパネル
２０  陰極駆動回路
２２  走査スイッチ
３０  陽極駆動回路
４０  表示コントローラ
５０  有機ＥＬパネル用駆動装置
Ａ１〜Ａｎ  定電流源
Ｄ１〜Ｄｎ  ドライブライン
Ｅ１１〜Ｅｍｎ  画素
Ｓ１〜Ｓｍ  走査ライン
Ｐ１，Ｐ２  端子
＋ＳＷ１〜＋ＳＷｎ  ドライブスイッチユニット
Ｓａ１〜Ｓａｎ  第１のスイッチ
Ｓｂ１〜Ｓｂｎ  第２のスイッチ
Ｓｃ１〜Ｓｃｎ  第３のスイッチ
−ＳＷ１〜−ＳＷｍ  走査スイッチ
【図１】
2018141851.tif 000003
【図２】
2018141851.tif 000004
【図３】
2018141851.tif 000005
【図４】
2018141851.tif 000006
【図５】
2018141851.tif 000007
【図６】
2018141851.tif 000008
【図７】
2018141851.tif 000009
【図８】
2018141851.tif 000010
【図９】
2018141851.tif 000011
【図１０】
2018141851.tif 000012